(57)【特許請求の範囲】
【請求項１】
装置（１０）であって、
入口端部（３０）及び出口端部（４０）と、前記入口端部から前記出口端部へと延在する注ぎチャンバ壁部（５０）と、を備える注ぎチャンバ（２０）であって、前記注ぎチャンバは、前記入口端部から前記出口端部への流動が生じ得る開放断面積（６０）を有し、前記開放断面積は、前記入口端部と前記出口端部との間の位置の関数であり、前記出口端部は、前記入口端部の下流にあり、前記出口端部は出口周囲長（９０）を有し、前記出口端部の上流の前記注ぎチャンバの一部分は、前記出口端部の上流にスパウトエントランス（４７）を有するスパウト（４５）である、注ぎチャンバと、
前記注ぎチャンバ壁部と係合され、前記入口端部と前記スパウトとの間に配置されたダム（８０）であって、前記開放断面積は、前記ダムの直ぐ上流の位置と比較すると、前記ダムが配置されている場所で低減され、前記ダムは、前記スパウトエントランスを部分的に閉鎖する、ダムと、
前記出口端部から離間配置されたエントランス（１０５）と、前記エントランスからイグジット（１３０）へと延在する通気口壁部（１２０）と、を備える通気口（１００）であって、前記イグジットは前記注ぎチャンバと流体連通し、前記イグジットは、前記出口端部が前記ダムから離れている距離よりも大きく前記ダムから離れており、前記イグジットは、前記出口周囲長の約０．５倍超、前記ダムから離れており、前記イグジットはイグジット周囲長（１４０）を有し、前記出口周囲長（９０）は、前記イグジット周囲長の約２倍超、長い、通気口（１００）と、
前記注ぎチャンバと係合されるタイマー（１５０）であって、
供給元リザーバ（１７０）と、
内側空間（１９０）と外側表面（２００）とを有する収集リザーバ（１８０）であって、前記内側空間の少なくとも一部分が前記外側表面から視認可能である、収集リザーバ（１８０）と、
前記供給元リザーバと前記収集リザーバとを接続するタイミングオリフィス（２１０）と、
前記収集リザーバと、前記タイミングオリフィスから離れて配置された前記供給元リザーバとを接続する開口部（２２０）と、
前記供給元リザーバ及び前記収集リザーバの一方又は両方に収容された固定体積を有するタイミング液（２３０）であって、前記タイミング液、前記供給元リザーバ、及び前記収集リザーバは、前記注ぎチャンバと流体連通していない、タイミング液（２３０）と、を備える、タイマー（１５０）と、を備える、装置（１０）。
【請求項２】
前記装置は、前記出口端部が前記入口端部の上方に位する第１の姿勢と、前記入口端部が前記出口端部の上方に位する第２の姿勢と、を有し、前記装置が前記第２の姿勢にあるとき、前記装置が前記第１の姿勢にあるときよりも多量の前記タイミング液が前記収集リザーバ内にあり、前記装置が前記第２の姿勢にあるとき、前記タイミング液が前記外側表面から視認可能である、請求項１に記載の装置。
【請求項３】
前記収集リザーバは、前記外側表面から視認可能な少なくとも１つの計量表示部（２４０）を備える、請求項１又は２に記載の装置。
【請求項４】
開放端部（２５０）を有する容器（７０）を更に備え、前記注ぎチャンバ、前記ダム、前記通気口、及び前記タイマーは、前記開放端部と係合されている、請求項１〜３のいずれか一項に記載の装置。
【請求項５】
出口クロージャ２６０が前記出口端部（４０）と係合され、前記出口クロージャは、任意選択により、ヒンジ付き出口クロージャである、請求項１〜４のいずれか一項に記載の装置。
【請求項６】
前記装置は、少なくとも部分的に前記スパウトを囲んで延在し、かつ前記スパウトから離れて外向きに延在するフロア（２７０）と、チャネル壁部（２８０）であって、前記入口端部（３０）から離れる方向に前記フロアから延在して、前記スパウトと前記チャネル壁部との間にチャネル（２９０）を画定する、チャネル壁部（２８０）と、を更に備え、前記フロアは、前記エントランスに向かって、又は前記注ぎチャンバと流体連通する穴に向かって傾斜されている、請求項１〜５のいずれか一項に記載の装置。
【請求項７】
開放端部（２５０）を有する容器（７０）を更に備え、前記注ぎチャンバ、前記ダム、前記通気口、前記タイマー、及び前記出口クロージャは共に、容器クロージャの少なくとも一部を形成する、請求項５に記載の装置。
【請求項８】
前記イグジットは、前記出口端部が前記ダムから離れている距離よりも約１．５倍超、前記ダムから離れている、請求項１〜７のいずれか一項に記載の装置。
【請求項９】
前記装置は、少なくとも部分的に前記スパウトを囲んで延在し、かつ前記スパウトから離れて外向きに延在するフロア（２７０）と、チャネル壁部（２８０）であって、前記入口端部（３０）から離れる方向に前記フロアから延在して、前記スパウトと前記チャネル壁部との間にチャネル（２９０）を画定する、チャネル壁部（２８０）と、を更に備え、前記フロアは、前記注ぎチャンバと流体連通する穴に向かって傾斜され、前記通気口は前記穴から離間している、請求項１〜８のいずれか一項に記載の装置。
【請求項１０】
前記タイマーは容器（７０）上に装着されている、請求項１〜３、５、６、８、及び９のいずれか一項に記載の装置。
【請求項１１】
前記装置は、前記出口端部が前記入口端部の上方に位する第１の姿勢と、前記入口端部が前記出口端部の上方に位する第２の姿勢と、を有し、前記装置が前記第１の姿勢にあるとき、前記タイミングオリフィスは前記開口部の上方に位し、前記装置が前記第２の姿勢にあるとき、前記タイミングオリフィスは前記開口部の下方に位し、前記装置が前記第１の姿勢から前記第２の姿勢に移行されるとき、前記タイミング液は、前記タイミングオリフィスを通って前記供給元リザーバから前記収集リザーバへと移動する、請求項１〜１０のいずれか一項に記載の装置。
【請求項１２】
前記出口周囲長と前記イグジット周囲長との比が、約２：１〜約２０：１、好ましくは約２：１〜約１５：１、より好ましくは約２：１〜約１０：１である、請求項１〜１１のいずれか一項に記載の装置。
【請求項１３】
前記ダムは前記スパウトエントランスにある、請求項１〜１２のいずれか一項に記載の装置。
【請求項１４】
請求項１〜１３のいずれか一項に記載の装置を用いて液体製品を分配するためのプロセスであって、液体製品が前記出口端部を通って分配されるとき、前記タイミング液は前記収集リザーバ内に貯留する、プロセス。
【発明の詳細な説明】
【技術分野】
【０００１】
液体分配
【背景技術】
【０００２】
多くの液体製品は、容器の開放端部を通じて、又は容器のためのクロージャの一部を形成する分配システムを通じて容器から分配される。例えば、液体洗濯製品は一般に、スパウト取付体が取り付けられた容器並びにスパウト取付体及び／又は容器と係合するクロージャに包装される。クロージャは、多くの場合、測定カップとして機能するための二次目的を有し、クロージャの内側又は外側に計量表示部を設けられており、この表示部は、洗濯物の大きさ又は他の洗浄条件に応じて使用するのが望ましい特定の体積の液体に対応する、クロージャの内側壁部上にマークされたフォームライン又はバーを有する。
【０００３】
時には、消費者が所望の量の液体洗濯製品を投入カップの中に正確に分配するには、いくぶんかの努力が必要とされ得る。消費者が製品を過少に計量した場合、消費者は、有効量の製品を使用できなかったために、液体洗濯製品の性能に不満となる場合がある。消費者が製品を過剰に計量した場合、消費者は、液体洗濯製品の単一の容器で消費者が行い得る洗濯物の数に不満となる場合がある。
【０００４】
容器が液体を分配する際に容器から分配される液体の量を測定する目的を有する様々な装置が存在する。容器からの流量が一定でない場合があり、変位した液体と置き換わるべく容器に進入する空気は結果として、容器からの不規則な液体流を生じることがあり、また、容器から絞り及び複数の経路を通る液体流の動力学は複雑であるため、容器から液体を注ぐときに分配される液体の量を測定することは、特に困難な作業である。
【発明の概要】
【発明が解決しようとする課題】
【０００５】
これらの制限を念頭に置いて、測定された量の液体を分配するための装置及びプロセスに対する継続的な未解決の必要性が存在する。
【課題を解決するための手段】
【０００６】
装置（１０）であって、入口端部（３０）及び出口端部（４０）と、入口端部から出口端部へと延在する注ぎチャンバ壁部（５０）と、を備える注ぎチャンバ（２０）であって、注ぎチャンバは、入口端部から出口端部への流動が生じ得る開放断面積（６０）を有し、開放断面積は、入口端部と出口端部との間の位置の関数であり、出口端部は、入口端部の下流にあり、出口端部は出口周囲長（９０）を有し、出口端部の上流の注ぎチャンバの一部分は、出口端部の上流にスパウトエントランス（４７）を有するスパウト（４５）である、注ぎチャンバと、注ぎチャンバ壁部と係合され、入口端部とスパウトとの間に配置されたダム（８０）であって、開放断面積は、ダムの直ぐ上流の位置と比較すると、ダムが配置されている場所で低減され、ダムは、スパウトエントランスを部分的に閉鎖する、ダムと、出口端部の外側にあるエントランス（１０５）と、エントランスからイグジット（１３０）へと延在する通気口壁部（１２０）と、を備える通気口（１００）であって、イグジットは注ぎチャンバと流体連通し、イグジットは、出口端部がダムから離れている距離よりも大きくダムから離れており、イグジットは、出口周囲長の約０．５倍超、ダムから離れており、イグジットはイグジット周囲長（１４０）を有し、出口周囲長は、イグジット周囲長の約２倍超、長い、通気口（１００）と、注ぎチャンバと係合されるタイマー（１５０）であって、供給元リザーバ（１７０）と、内側空間（１９０）と外側表面（２００）とを有する収集リザーバ（１８０）であって、内側空間の少なくとも一部分が外側表面から視認可能である、収集リザーバ（１８０）と、供給元リザーバと収集リザーバとを接続するタイミングオリフィス（２１０）と、収集リザーバと、タイミングオリフィスから離れて配置された供給元リザーバとを接続する開口部（２２０）と、供給元リザーバ及び収集リザーバの一方又は両方に収容された固定体積を有するタイミング液（２３０）であって、タイミング液、供給元リザーバ、及び収集リザーバは、注ぎチャンバと流体連通していない、タイミング液（２３０）と、を備える、タイマーと、を備える、装置（１０）。
【図面の簡単な説明】
【０００７】
【図１】装置の断面である。
【図２】装置の上面図である。
【図３】装置のイメージである。
【図４】装置の上面イメージである。
【図５】タイマーを取り外された装置の上面イメージである。
【図６】タイマーを取り外された装置のイメージである。
【図７】装置の底面イメージである。図３〜７の各々は、異なる視点から見た、様々な組立／分解の状態にある同じ装置の図である。
【図８】タイミング液がタイミングオリフィスを通って収集リザーバの中へと流動し得るように傾ける準備を終えた、供給元リザーバ内にタイミング液が収容される第１の姿勢に示されたタイマーである。
【図９】タイミング液が供給元リザーバから収集リザーバに流動し、計量表示部のレベルに到達している第２の姿勢に示されたタイマーである。タイマーは、液体が装置から分配されるときにタイマーが存在し得る位置に対応するように傾けられる。
【図１０】装置の斜視図である。
【図１１】装置の破断図である。
【図１２】装置の斜視図である。
【図１３】装置の断面図である。
【図１４】装置の断面の斜視図である。
【図１５】第２の姿勢にある使用中の装置の図である。
【発明を実施するための形態】
【０００８】
図１は、注ぎチャンバ２０を備える装置１０である。注ぎチャンバ２０は、入口端部３０と、出口端部４０と、入口端部３０から出口端部４０まで延在する注ぎチャンバ壁部５０と、を備える。注ぎチャンバ２０は、開放断面積６０を有する。開放断面積６０は、入口端部３０に平行な様々な平面で取られ得る。スパウト４５の開口端部３０を通過する長手方向軸線Ｌもまた入口端部３０を通過するスパウトの場合、長手方向軸線Ｌは入口端部３０と直交し得る。注ぎチャンバ２０は、容器７０からの液体がダム８０を通り過ぎて出口端部４０を通過する場所である。使用中、前述の要素は、容器７０のためのクロージャシステムの一部を形成してもよい。ユーザーが容器７０を傾けて容器７０から液体を分配すると、液体は容器から入口端部３０を通って流動し、次いで注ぎチャンバ２０を通って下流に流動し、次いで出口端部４０を通って更に下流に流動して、例えばバケット、洗濯機、洗濯機のコンパートメントなどに分配され得る。
【０００９】
入口端部３０は、約３ｃｍ２〜約４０ｃｍ２、任意選択で約５ｃｍ２〜約２０ｍｍ２の開放断面積６０を有し得る。出口端部４０は、約０２５ｃｍ２〜約８ｃｍ２の開放断面積６０を有し得る。入口端部３０の開放断面積６０は、出口端部４０の開放断面積６０よりも小さくてもよい。開放断面積６０は、流動が発生し得る平面において測定されるものであり、また入口端部３０から出口端部及び開放断面積６０の位置の関数として変動する。すなわち、デッドエンド経路に沿った開放部分は測定されない。流動が活動的であり得る部分のみが考慮される。注ぎチャンバ２０は、全体的に先細にされてもよい。注ぎチャンバ２０は、入口端部３０から出口端部４０に向かって、先細にされ得るか又は絞り込まれ得る。注ぎチャンバ２０は、概ね円錐形状をなしてもよい。入口端部３０は、出口端部４０の開放断面積６０よりも大きい開放断面積６０を有し得る。入口端部３０から出口端部４０への絞りは液体の流動を集中させる助けとなり、容器から出口端部４０に向かう液体の過剰供給をもたらし得ると考えられ、したがって、注ぎチャンバ２０の流速の制限、出口端部４０の流速の制限、スパウト４５の流速の制限、又はダム８０を越える流速の制限のうちの１つ以上によって流速が抑制され得るため、出口端部４０からの流速が適度に又は実質的に定常となる。注ぎチャンバ２０内には、注ぎチャンバ２０、ダム８０を通過する通気口１００、及び、装置１０を容器７０に接続するための構造、例えば、ねじ山又は容器７０のネックにスナップ嵌めされるビード設計などの他の付属物などの機構が存在してもよい。
【００１０】
出口端部４０は、約３ｍｍ〜約３０ｍｍ、任意選択で約５ｍｍ〜約２０ｍｍ、更に任意選択で約５ｍｍ〜約１５ｍｍ、任意選択で約１０ｍｍの直径を有し得る。所与の液体製品の場合、出口端部４０の直径又は開放断面積が小さくなるほど、液体製品の流速がより遅くなる。出口端部４０は、約７ｍｍ２〜約７００ｍｍ２、任意選択で約２０ｍｍ２〜約７００ｍｍ２、任意選択で約２０ｍｍ２〜約３００ｍｍ２、約７５ｍｍ２の開放断面積を有し得る。
【００１１】
出口端部４０の上流の注ぎチャンバ２０の一部分がスパウト４５であってもよい。スパウト４５は、出口端部４０の上流にスパウトエントランス４７を有し得る。スパウトは、液体製品が出口端部４０を出るときに小さな面積の全体に液体製品の流動を集中させるために設けられる注ぎチャンバ２０の狭小部分であり得る。出口端部４０の前述の直径及び開放断面積の範囲は、スパウト４５の出口端部４０に好適であり得る。
【００１２】
装置１０は、注ぎチャンバ壁部５０と係合されたダム８０を備える。ダム８０は、図７のような非限定的な例として、装置１０が液体製品を分配する姿勢にあるときに、流路の縁部から縁部への液体製品の流動を遮断する構造であり得る。このことは、川岸の間に延びるダムによく似ているが、注ぎの状況において、ダムを越える流動、又は更には、ダム８０の縁部とダム上方の注ぎチャンバ２０の内側との間隙における全流量が望まれ得るという点では異なっている。図１４に示されるような非限定的な例として、任意選択により、ダム８０は、液体製品の流動に抵抗し、スパウトエントランス４７に到達する前に、ダム８０の周囲に液体製品を流動させる構造であり得る。例えば、ダム８０は、液体製品の流動の経路における障害物であり得る。すなわち、液体製品は、ダム８０の頂部を越えて、又はダムの側部の周りに流動し得る。ダム８０は、スパウトエントランス４７と一直線になるように配置され得る。ダム８０は、スパウトエントランスの中心線と一直線になるように配置され得る。ダム８０は、入口端部３０からスパウトエントランス４７への液体製品の流動の流線を、スパウトエントランス４７において又はその近くで局所的に方向転換させるように配置され得る。ダム８０は、入口端部から出口端部への液体製品の流動の流線を方向転換させるように、特にスパウトエントランス４７へのエントランス又はその付近における液体製品の流動の流線を方向転換又は延長するように作用し得る。
【００１３】
ダム８０は、入口端部３０と出口端部４０との間に配置されている。この位置では、ダム８０はスパウトエントランス４７を部分的に閉鎖する。例えば、非限定的な例である図１に示されるように、ダム８０は、スパウトエントランス４７のすぐ上流にあり得る。この位置において、又は、同様に非現実的な例である図１２〜１５に示されるダム８０の位置において、ダム８０は、スパウトエントランス４７を部分的に閉塞すると考えられる。容器７０から分配された液体は、容器７０から入口端部３０を通って注ぎチャンバ２０の中へと進行し、ダム８０の上へ、ダムの周囲へ、又はダムを越えて、スパウトエントランス４７の中へ、そして出口端部４０を通って進行する。ダム８０は、注ぎチャンバ２０の内部にある。ダム８０は、ダム８０を越える液体製品の流速に対するダムの上流の全ヘッドの影響を低減するのに役立ち得、また、注ぎチャンバ２０の形状、注ぎチャンバ２０の表面粗さ、及び、液体製品が装置１０から分配される姿勢に装置１０があるときのダム８０の上の全ヘッドよりも、出口端部４０から流出する流速に対して比較的大きな又は更にはより大きな効果を有し得る。
【００１４】
ダム８０は、ダム８０の直ぐ上流の位置と比較してダム８０が配置される場合、開放断面積６０を低減する。ダム８０は、スパウトエントランス４７に配置され得るか、スパウトエントランス４７のすぐ上流に配置され得るか、又はスパウトエントランス４７の上流に配置され得る。ダム８０は、入口端部３０よりもスパウトエントランス４７の近くに配置され得る。ダム８０は、スパウト４５の中への液体製品の流動に影響を有するか、又は更には大きな影響を有するか、又は更には重大な影響を有するように配置され得る。すなわち、ダム８０は、ダム８０の上流にある注ぎチャンバ２０内にあるか又は注ぎチャンバを画定する他の特徴部よりも、スパウト４５への液体製品の流動に比較的大きな効果を有し得る。ダム８０の機能は、出口端部４０から出る液体製品の流速に相当な影響を与える構造的特徴部を設けることであり、これは、出口端部４０から出る液体製品の流速に対して入口端部３０又はダム８０の上方の液体製品の全ヘッドが与える影響を低減する働きをし得る。
【００１５】
ダム８０は、ダム８０の直ぐ上流の位置と比較してダムが配置される場合、開放断面積を約１０％超、任意選択で約２０％超、更なる任意選択で約３０％超、低減し得る。使用中、注ぎチャンバ２０を通る流動は、上流から下流へと向かうものであり、これは入口端部３０からダム８０を越えて出口端部４０の外に向かうものである。ダム８０のすぐ上流に、比較的大きな開放断面積が存在してもよく、またダム８０においてその開放断面積は急激に低減され得る。例えば、ダム８０のすぐ上流で、開放断面積は、約１０００ｍｍ２〜約１００００ｍｍ２、任意選択で約２０００ｍｍ２〜約７０００ｍｍ２、任意選択で約３０００ｍｍ２〜約５０００ｍｍ２、任意選択で約４０００ｍｍ２であり得る。
【００１６】
ダム８０は、入口端部３０よりも出口端部４０の近くに配置され得る。これにより、ほぼ一定の流速の液体がダム８０を越えて出口端部４０に向かって供給されるように、十分な量の液体が注ぎチャンバ２０に絶えず収集されると考えられる。ダム８０は、ダム８０が配置されている場所で、注ぎチャンバ２０の開放断面積６０の約１０％超を遮断し得る。ダム８０は、ダム８０が配置されている場所で、注ぎチャンバ２０の開放断面積６０の約２０％超を遮断し得る。ダム８０は、ダム８０が配置されている場所で、注ぎチャンバ２０の開放断面積６０の約３０％超を遮断し得る。ダム８０は、ダム８０が配置されている場所で、注ぎチャンバ２０の開放断面積６０の約４０％超を遮断し得る。ダム８０は、ダム８０が配置されている場所で、注ぎチャンバ２０の開放断面積６０の約５０％超を遮断し得る。ダム８０は、ダム８０が配置されている場所で、注ぎチャンバ２０の開放断面積６０の約６０％超を遮断し得る。ダム８０が遮断する流れが多くなるほど、十分な体積の液体製品がダム８０の背後にあり、ダム８０にまたがるか又はそれを通過する定常流を支持する可能性が高くなり、またより緩徐に液体製品が出口端部４０から流出するようになる。
【００１７】
ダム８０は、出口端部４０の開口断面積６０の約２０％を超えるダム面領域を有し得る。ダム面領域は、入口端部３０に向かって下流に提示されるダムの投影面積として測定される。ダム面領域は、約５０ｍｍ２〜約２００ｍｍ２、任意選択で約８０ｍｍ２〜約１６０ｍｍ２、任意選択で約１００ｍｍ２〜約１４０ｍｍ２、任意選択で約１２０ｍｍ２であり得る。ダム８０は、出口端部４０の開口断面積６０の約３０％を超えるダム面領域を有し得る。ダム８０は、出口端部４０の開口断面積６０の約４０％を超えるダム面領域を有し得る。ダム８０は、出口端部４０の開口断面領域６０の約５０％を超えるダム面領域を有し得る。ダム８０は、出口端部４０の開口断面領域６０の約７０％を超えるダム面領域を有し得る。ダム８０は、出口端部４０の開口断面領域６０の約９０％を超えるダム面領域を有し得る。ダム８０は、出口端部４０から約１ｍｍ〜約４０ｍｍ、又は任意選択で１０ｍｍ〜約３０ｍｍ、又は任意選択で約１５ｍｍ〜約２５ｍｍに位置し得るか、あるいは出口端部４０から任意選択で約２０ｍｍ、又は任意選択で出口端部４０から約１ｍｍ〜約６ｍｍ、又は任意選択で約１ｍｍ〜４ｍｍに位置し得る。
【００１８】
ダム８０は、出口端部４０に向かって下流に向けられた下流面８２と、入口端部３０に向かって上流に向けられた対向する上流面８４とを有し得る。ダム８０は、入口端部３０から出口端部４０への液体流の流線を方向転換させ得る。すなわち、入口端部３０から出口端部４０への液体流の流線は、非直線的であり得る。
【００１９】
ダム８０の少なくとも一部分は、出口端部４０を通って入口端部３０と直交する真っ直ぐな長手方向軸線Ｌと交差し得る。このように配置構成されると、ユーザーが出口端部４０を通じて見下ろすとき、ダム８０の少なくとも一部が、入口端部３０の視界を遮断し得る。スパウト４５は、真っ直ぐな長手方向軸線Ｌがスパウト４５と交差することなく通過し得る真っ直ぐなスパウトであり得る。任意選択により、スパウト４５は、真っ直ぐな長手方向軸線Ｌがスパウト４５の内側壁部と交差することなくスパウト４５を通過し得ないように湾曲され得る。
【００２０】
出口端部４０は、出口周囲長９０を有している。出口周囲長９０は、出口端部４０における注ぎチャンバ２０の内側周囲長である。出口周囲長９０はスカラー量である。出口周囲長９０は、約６ｍｍ〜約６０ｍｍ、任意選択で約８ｍｍ〜約３０ｍｍ、任意選択で約１０ｍｍ〜約２０ｍｍであり得る。出口周囲長９０がより小さいほど、液体の流れは出口端部４０を抜け出した後により収縮する。
【００２１】
装置は通気口１００を備え得る。通気口１００は、出口端部４０の外部のエントランス１１０と、エントランス１１０からイグジット１３０まで延在する通気口壁部１２０と、を備え得る。すなわち、通気口エントランス１１０は、出口端部４０から離間されていてもよい。通気口エントランス１１０は、約５ｍｍ２〜約５０ｍｍ２、任意選択で約２０ｍｍ２〜約３０ｍｍ２、任意選択で約２８ｍｍ２の面積を有し得る。通気口エントランス１１０は、容器７０内の空気圧が周囲の空気圧と等しくなるように、液体製品が容器７０から完全に出されるとき、十分な量の空気を再び容器７０の中へと流入させるのに十分な大きさのみあればよい。
【００２２】
イグジット１３０は、注ぎチャンバ２０と流体連通し得る。通気口１００は、外部環境からの空気が容器７０の中へと進入して、容器７０から分配される液体と置き換わるための経路を設けている。通気口１００は、出口端部４０からの液体の流れが容器７０の通気を妨げないように、出口端部４０から分離され得る。出口端部４０からの液体の定常流及びボトル７０内への空気の定常流をもたらすために、出口端部４０からの液体流は、通気口１００のエントランス１１０への空気進入とは無関係であり得る。
【００２３】
イグジット１３０は、出口端部４０がダム８０から離れている距離よりもダム８０から離れていてもよい。これは、通気口１００を通過してイグジット１３０を抜け出す空気が、ダム８０を越える液体の流れに干渉する影響を低減するのに役立ち得る。これはひいては、ダム８０を越えて出口端部４０から流出する液体製品を十分に安定した流速で供給する助けとなり得る。通気口１００を通って容器に入る気泡から、ダム８０を通過する流れを分離することにより、容器７０に入る空気が容器７０から流出する液体製品の流速に及ぼす影響が低減される。
【００２４】
イグジット１３０は、出口周囲長９０の約０．５倍超、ダム８０から離れ得る。これはまた、出口端部４０から排出される液体から、容器７０の中へと戻る空気の通気を分離する助けとなり得る。出口１３０とダム８０との空間的関係は、ダム８０とイグジット１３０の内側壁部との間の最小直線距離と解釈される。
【００２５】
イグジット１３０は、出口端部４０がダム８０から離れている距離の約１．５倍超、ダム８０から離れていてもよい。このことは、再び容器７０の中へと通気されている空気が、容器からダム８０を越えて分配されている液体の流れにほとんど又は全く影響を及ぼさないように、ダム８０とイグジット１３０との間に十分な距離を設けることによって有益となり得る。
【００２６】
イグジット１３０はイグジット周囲長１４０を有し得る。イグジッ周囲長１４０は、イグジット１３０における通気口壁部１２０の内側周囲長である。出口周囲長９０は、イグジット周囲長１４０の約２倍超であってもよい。出口周囲長１４０は、約０．１ｍｍ〜約１２ｍｍであってもよい。出口周囲長１４０は、約１ｍｍ〜約１２ｍｍであってもよい。出口周囲長１４０は、約２ｍｍ〜約４ｍｍであってもよい。出口周囲長１４０は、約３．８ｍｍであり得る。より小さい出口周囲長１４０は、液体が出口端部４０及び通気口のエントランス１１０から排出される状況である、２重注ぎの可能性を低減するために実用的であり得る。液体製品の毛管力は、イグジット１３０への進入に抵抗し得る。出口周囲長９０は、約１ｍｍ〜約６０ｍｍ、任意選択で約１ｍｍ〜約２０ｍｍ、任意選択で約２ｍｍ〜約１０ｍｍであり得る。
【００２７】
出口周囲長９０とイグジット周囲長１４０との比は、約２：１〜約２０：１となり得る。出口周囲長９０がイグジット周囲長１４０よりもはるかに大きいことにより、液体製品が出口端部４０及び通気口１００のエントランス１１０の両方から流出する可能性が低減され得る。液体製品中の毛管力が通気口のイグジット１３０への液体製品の進入に抵抗するため、イグジット周囲長１４０が小さいほど、液体製品が通気口に進入する可能性はより低くなる。出口周囲長９０とイグジット周囲長１４０との比は、約３：１〜約１５：１、任意選択で約３：１〜約５：１、又は任意選択で約１０：１となり得る。液体製品の動粘度が高いほど、出口周囲長９０とイグジット周囲長１４０との間の比が大きくなり得る。イグジット１３０は、約１ｍｍ２〜約３０ｍｍ２、任意選択で約２ｍｍ２〜約２０ｍｍ２、任意選択で約３ｍｍ２〜約１０ｍｍ２、任意選択で約７ｍｍ２の面積を有し得る。イグジット１３０は、約０．５ｍｍ〜約５ｍｍ、任意選択で約１ｍｍ〜約３ｍｍの直径を有し得る。
【００２８】
装置１０はタイマー１５０を更に備え得る。タイマー１５０は、イグジット１３０、出口端部４０、及び／又はイグジット１３０と出口端部４０の両方から液圧的に分離され得る。そうでなければ、タイマー１５０は、タイマー１５０と出口端部４０との間に流体連通を含まなくてもよい。タイマー１５０は、注ぎチャンバ２０と係合され得る。タイマー１５０は、注ぎチャンバ２０の外側面１６０上に装着されることによって、注ぎチャンバ２０と係合され得る。任意選択により、タイマー１５０は、容器７０に接合されることによって注ぎチャンバ２０と係合され得る。タイマー１５０は、タイマー１５０と注ぎチャンバ２０とを接続する要素に接合されることによって、注ぎチャンバ２０に接合され得る。
【００２９】
タイマー１５０は供給元リザーバ１７０を備え得る。タイマー１５０は、収集リザーバ１８０を更に備え得る。収集リザーバ１８０は、内側空間１９０と外側表面２００とを有し得る。内側空間１９０の少なくとも一部分は、外側表面２００から視認可能であり得る。タイミングオリフィス２１０は、供給元リザーバ１７０と収集リザーバ１８０とを接続し得る。タイミングオリフィス２１０は、供給元リザーバ１７０と収集リザーバ１８０との間に流体連通をもたらすと考えられ得る。供給元リザーバ１７０と収集リザーバ１８０は、収集リザーバ１８０と供給元リザーバ１７０とを接続する開口部２２０を介して更に互いに接続され得る。開口部２２０は、タイミングオリフィス２１０から離れて配置され得る。タイミングオリフィス２１０は、約０．２ｍｍ〜約１．２ｍｍ、任意選択で約０．８ｍｍの直径を有し得る。開口部２２０は、約０．２ｍｍ〜約４ｍｍ、任意選択で約１．６ｍｍの直径を有し得る。開口部２２０は、液体製品が分配された後に、収集リザーバ１８０から再び供給元リザーバ１７０へと流体連通する経路をもたらし得る。タイミングオリフィス２１０は、約０．０１ｍｍ〜約１ｍｍの周囲長を有し得る。タイミングオリフィス２１０は、約０．０１ｍｍ〜約０．７ｍｍの周囲長を有し得る。
【００３０】
タイミングオリフィス２１０は、タイミング液２３０の特定の流量範囲をもたらすように大きさ及び寸法を定められ得る。タイミングオリフィス２１０の開放面積は、設計者が容器７０からの液体分配を提供することを望む時間量に基づいて設定され得る。出口端部４０からの液体の流量は、入口端部３０、出口端部４０、注ぎチャンバ２０及びダム８０の大きさ及び形状、並びにタイミングオリフィス２１０におけるタイミング液２３０の全ヘッドの関数であるため、設計者は、分配されるべき所望の量の液体を採取し、そのような液体が出口端部４０から抜け出す時間量を測定してもよい。次いで、設計者は、供給元リザーバ１７０から収集リザーバ１８０へのタイミング液２３０の流れが、容器から分配される液体の量のインジケータとなり得るように、タイミングオリフィスの開放領域のサイズを計算してもよい。設計者はまた、タイマー１５０内に提供されるタイミング液２３０の量を決定することもできる。
【００３１】
タイミング液２３０が供給元リザーバ１７０から収集リザーバ１８０に流れるとき、空気、又は収集リザーバ１８０内のタイマー１５０内にある他のガスが、収集リザーバ１８０にタイミング液２３０が充填され始める際に、開口部２２０を通って変位され得る。収集リザーバ１８０は、約０．４ｃｍ３〜約２ｃｍ３、任意選択で約０．５ｃｍ３〜約１ｃｍ３、任意選択で約０．７８ｃｍ３の体積を有し得る。
【００３２】
装置が第２の姿勢にある状態で、タイミング液１３０が所望の計量表示部２４０に到達すると、ユーザーは、装置１０を第２の姿勢から再び第１の姿勢に移行させ得る。次いで、タイミング液１３０は、開口部２２０を通って供給元リザーバ１７０へと再び流れ込み得る。タイミング液１３０は、分配されている液体製品とは依然として離隔されており、また使用時に、供給元リザーバ１７０から、タイミングオリフィス２１０を通って収集リザーバ１８０の中へと計量表示部のレベルまでループをなして、開口部２２０を介して収集リザーバ１８０から出て、再び供給元リザーバ１７０の中へと移動する。
【００３３】
タイミング液２３０は、一定の体積又は質量を有し得る。タイミング液のその一定の体積は、約０．５ｃｍ３〜約２ｃｍ３、任意選択で約１．２５ｃｍ３であり得る。タイミング液は、供給元リザーバ１７０と収集リザーバ１８０の一方又は両方に収容され得る。タイミング液２３０、供給元リザーバ１７０、及び収集リザーバ１８０は、注ぎチャンバ２０又は出口端部４０と流体連通していない。これにより、タイミングの態様と容器７０からの液体製品の分配との機能的分離が可能となる。容器７０からの液体製品の流動は動力学的に複雑であるため、容器７０の内容物と液体連通しているタイマーを使用しようと試みることは、容器７０からの複雑な液体流様式によって複雑となる。更に、ボトルの中へと再び空気を通気することは、分配される液体の体積の測定を複雑にし得る。タイマーが注ぎチャンバ２０又は出口端部４０と流体連通している液体製品分配システムは、特定の量の液体製品を提供するための所望のレベルの正確度又は精度を有していない。例えば、１つの技術的アプローチは、液体製品の一部分をタイマーへと出口端部に向かって方向転換させることであり得るが、ここで液体製品は、注がれた体積のインジケータとして、タイマー内に貯留する。このタイプのシステムは、液体製品を出口端部からタイマーへと比例的にルーティングする複雑性のため、所望の程度まで正確ではない。この比例的なルーティングは、注出角度の関数となり得る。
【００３４】
タイミング液は、グリセリン、水、アルコール、又は約０℃〜約６０℃の温度で液体である他の物質を含み得る。
【００３５】
装置１０は、出口端部４０が入口端部３０の上方に位する第１の姿勢と、入口端部３０が出口端部４０の上方に位する第２の姿勢とを有すると考えられ得る。装置１０が第１の姿勢にあるとき、収集リザーバ１８０はタイミング液２３０を有さなくてもよい。あるいは、タイミング液２３０が収集リザーバ１８０内に存在する場合、収集リザーバ１８０のその部分は、消費者がタイミング液２３０を見ることができないように、覆い隠されても不透明にされてもよい。装置１０の第１の姿勢は直立姿勢にあり、この姿勢では、注ぎチャンバ２０は、その基部に載せられている容器７０に装着され、注ぎチャンバ２０が容器７０の上方に位するようになっている。
【００３６】
装置１０が第２の姿勢にあるとき、装置１０が第１の姿勢にあるときよりも大量のタイミング液２３０が収集リザーバ１８０内にある。更に、第２の姿勢では、タイミング液２３０は、収集リザーバ１８０の外側表面２００から視認可能であり得る。装置１０の第２の姿勢は、出口端部４０が入口端部３０の下方にあるような傾いた姿勢にある。この姿勢では、液体製品は出口端部４０から分配され得る。第２の姿勢は、消費者が容器７０を傾けるか又は反転させて容器７０から液体製品を分配するときの装置１０の姿勢に対応する。
【００３７】
第１の姿勢において、出口端部４０は入口端部３０の上方に位し得る。第２の姿勢において、入口端部３０は出口端部４０の上方に位し得る。装置が第１の姿勢にあるとき、タイミングオリフィス２１０は開口部２２０の上方にある。装置１０が第１の姿勢から第２の姿勢に移行されるとき、タイミングオリフィス２１０は、開口部２２０の下にあり得、装置１０が第１の姿勢から第２の姿勢へと移行されると、タイミング液２３０は移動し始め、タイミングオリフィス２１０を通って供給元リザーバ１７０から収集リザーバ１８０へと移動し続ける。タイミング液２３０がタイミングオリフィス２１０の上方に存在し、タイミングオリフィス２１０の供給元リザーバ１７０側の全ヘッドが、タイミングオリフィス２１０の収集リザーバ１８０側の全ヘッドよりも大きい限り、タイミング液２３０は、供給元リザーバ１７０から収集リザーバ１８０へと移動する。タイミングオリフィス２１０は、約０．０１ｍｍ〜約４ｍｍの周囲長を有し得る。タイミングオリフィス２１０は、約０．０１ｍｍ〜約１ｍｍの周囲長を有し得る。タイミングオリフィス２１０は、約０．０１ｍｍ〜約０．７ｍｍの周囲長を有し得る。タイミングオリフィスの周囲長及び形状は、タイミング液２３０が、容器７０から液体を注ぐ消費者によって観察及び追跡され得る流量で、タイミングオリフィスを通って流れるように選定され得る。流量は十分に高くなければならず、また、出口端部４０の大きさに関し、注ぎの持続時間が長すぎてユーザーにとって不快にならないように設定される必要がある。注ぎの持続時間は、約２秒〜約１０秒、任意選択で約４秒〜約７秒であり得る。
【００３８】
収集リザーバ１８０は、外側表面２００上で視認可能な少なくとも１つの計量表示部２４０を備え得る。計量表示部２４０は、非限定的な例として、外側表面２００の隆起部分、外側表面２００上の印刷マーク、収集リザーバ１８０の着色部分若しくは染色部分、又は収集リザーバ１８０の内側表面上の印刷マークであり得る。計量表示部２４０は、液体製品の推奨される計量量に対応する、出口端部４０から分配される液体の体積を指示し得る。複数の計量表示部２４０は、収集リザーバ１８０の一部として設けられ得る。
【００３９】
装置は、開放端部２５０を有する容器７０を更に備え得る。注ぎチャンバ２０、ダム８０、通気口１００、及びタイマー１５０は、開放端部２５０と係合され得る。例えば、注ぎチャンバ２０、ダム８０、通気口１００、及びタイマー１５０は共に、容器７０の開口端部２５０上に、又はその中に嵌合する取付体を形成し得る。
【００４０】
出口クロージャ２６０が注ぎチャンバ２０の出口端部４０と係合され得る。任意選択により、出口クロージャ２６０は、注ぎチャンバ２０と係合されて、出口端部４０と通気口１００の両方を閉鎖し得る。出口クロージャ２６０は、容器が意図せず反転された場合に、容器７０からの漏出液を防止するのに役立つ。装置１０は、取付体として容器７０に接続され得るか、容器７０にスナップ嵌め又はねじ留めされ得る。容器７０の開放端部は、開放端部の内側又は外側にねじ山を有し得る。装置１０は、容器７０にねじ込まれ得る。装置の内側は、容器７０上の雄ねじと係合可能なねじ山を有し得る。
【００４１】
装置１０は、ドレインバック機構を設けられ得る。ドレインバック機構は、消費者が容器７０からの分配を終えたときに、出口端部４０から滴を捕捉するのに実用的となり得る。出口端部４０はスパウト４５であり得る。スパウト４５は、出口端部４０の上流の注ぎチャンバ２０の一部分であり得る。スパウト４５は、出口端部４０の上流にスパウト入口４７を有し得る。ドレインバック機構はフロア２７０を備え得るが、このフロアは、少なくとも部分的にスパウト４５を囲み、またスパウト４５から離れて外向きに延在している。ドレインバック機構はチャネル壁部２８０を更に備え得るが、このチャネル壁部は、スパウト４５とチャネル壁部２８０との間にチャネル２９０を画定するように、入口端部３０から離れる方向にフロア２７０から延在している。フロア２７０は、エントランス１０５に向かって、又は注ぎチャンバ２０と流体連通する穴に向かって傾斜され得る。フロア２７０は、水平から約５度〜約４５度の角度で傾斜され得る。チャネル２９０は、注ぎチャンバ２０又はスパウト４５の外部にあるものとして説明され得る。チャネル２９０は、スパウト４５の下にあるものとして更に説明され得る。チャネル２９０は、出口端部４０と入口端部３０との間に配置されるものとして更に説明され得る。
【００４２】
ドレインバック機構はまた、通気口１００として働き得る。任意選択により、ドレインバック機構は、通気口１００から分離され得る。
【００４３】
装置１０は、開放端部２５０を有する容器７０を更に備え得る。注ぎチャンバ２０、ダム８０、通気口１００、タイマー１５０、及び出口クロージャ２６０は共に、容器クロージャの少なくとも一部を形成し得る。
【００４４】
通気口１００は、ドレインバック機構から独立していてもよい。例えば、ドレインバック機構は、チャネル２９０のフロア２７０内の穴として設けられてもよく、また、上述のように構造化された別個の通気口１００が、装置１０上の別の場所に設けられてもよい。例えば、ドレインバック機構は、ドレインバックチューブ３００に接続された穴を備え得る。
【００４５】
タイマー１５０は容器７０上に装着され得る。例えば、タイマー１５０は容器７０のハンドル上に装着され得る。任意選択により、タイマー１５０は、容器７０のハンドルと開放端部２５０との間の位置で容器７０上に装着されてもよい。
【００４６】
装置１０は、液体製品を分配するためのプロセスにおいて使用され得る。液体製品が出口端部４０を通って分配されると、タイミング液２３０は収集リザーバ１８０内に貯留する。消費者は、タイミング液２３０が収集リザーバ１８０内に貯留するところを観察することができ、収集リザーバ１８０内のタイミング液２３０のレベルが、計量表示部２４０と一致すると、消費者は、装置１０を上向きにして液体製品の分配を停止させ得る。本明細書に記載されるように、消費者は、装置１０を第１の姿勢で開始し、出口端部４０を通して液体の注ぎを開始するために装置１０を第２の姿勢に反転させて、収集リザーバ１８０内に貯留しているタイミング液２３０のレベルを観察し、タイミング液２３０のレベルが所望の計量表示部２４０と一致したとき、消費者は、装置１０を第２の姿勢から再び第１の姿勢に移行させることによって装置１０を上向きにする。
【００４７】
装置１０は、三次元印刷などの付加製造によって製造され得る。これは、非限定的な例として、湾曲したスパウト４５などの形状に実用的であり得る。装置は、射出成形によって形成されてもよい。装置１０は、ポリプロピレン、ポリエチレン、又は他のポリマー材料を含み得る。
【００４８】
図１２に示すように、装置は、ヒンジ３１０によって出口端部４０と係合されたヒンジ付きクロージャ２６０を更に備え得る。ヒンジ付きクロージャ２６０は、出口端部４０が閉鎖される位置にクロージャ２６０があるときにタイマー１５０が視認可能となる窓２６５を有し得る。窓２６５は、装置１０が店舗又はオンラインで消費者に提示されるとき、装置１０がタイマー１５０を有することを消費者が観察することを可能にするために実用的であり得る。窓２６５がなければ、タイマー１５０の存在は、装置１０を使用する前に消費者には明らかでない場合がある。
【００４９】
図１２に示される装置１０の断面が図１３に示されており、クロージャ２６０は閉鎖位置にある。図１３に示すように、ダム８０は、注ぎチャンバ２０のタイマー１５０とは反対の側で注ぎチャンバ２０から延在し得る。任意選択により、ダム８０は、注ぎチャンバ２０のタイマー１５０と同じ側で注ぎチャンバ２０から延在し得る。いずれの配置構成においても、ダム８０は、ダム８０が存在しない場合に生じる液体流の流線と比較して、入口端部３０から出口端部４０への流れの流線を長くすることによって、入口端部３０から出口端部４０への液体流に抵抗する。ダム８０はまた、ダム８０の非存在下で同じ構造を有する装置１０と比較して、全ヘッド駆動流量の関数として出口端部４０から流出する液体流量の変動を低減するのに役立ち得る。
【００５０】
クロージャ２６０が開放位置にある、図１２に示される装置１０の断面の斜視図が図１４に示されている。図１２〜１４に示されるように、タイマー１５０は、装置１０が第１の姿勢及び第２の姿勢の両方であるとき、消費者から視認可能となり得る。
【００５１】
図１５は、使用中の第２の姿勢にある装置１０の図である。図１５に示されるように、ユーザーが液体製品３３０を分配するとき、液体製品３３０は出口端部４０から流動し得る。流動を誘導するために、ユーザーは、容器７０を傾けて、装置１０を第１の姿勢から第２の姿勢に移行させる。タイマー１５０は、出口端部４０からの液体製品３３０の流動とタイマー１５０とが両方ともユーザーから視認可能となるように配置され得る。所望の計量表示部２４０のレベルにタイミング液２３０が達すると（必要量の液体製品３３０が分配されたことを示す）、ユーザーは容器７０を上向きにして、装置１０を第２の姿勢から再び第１の姿勢に移行させ得る。収集リザーバ１８０内に貯留されたタイミング液２３０は、開口部２２０を介して再び供給元リザーバ１７０の中へと流動し得る。したがって、タイミング液２３０は依然として、液体製品３３０と分離された状態、又は液圧的に独立した状態、又は液体製品と流体連通しない状態にある。
【００５２】
容器７０から分配された液体製品３３０は、通気口１００を介して容器７０に進入する空気と置き換えられる。通気口１００内のイグジット１３０は、液体製品３３０が通気口１００に進入しないように小さくてもよい。容器の中へと通気口１００を通過する空気の泡は、液体製品の流動に対して通気口１００を効果的に遮断し得る。更に、液体製品３３０がイグジット１３０への液体製品３３０の移動に関連する毛管力を克服する必要があるため、小さな通気口１００はまた、通気口１００内への液体製品の進入に抵抗し得る。
【００５３】
実施例及び組み合わせ
以下に実施例を示す。
Ａ．装置（１０）であって、
入口端部（３０）及び出口端部（４０）と、入口端部から出口端部へと延在する注ぎチャンバ壁部（５０）と、を備える注ぎチャンバ（２０）であって、注ぎチャンバは、入口端部から出口端部への流動が生じ得る開放断面積（６０）を有し、開放断面積は、入口端部と出口端部との間の位置の関数であり、出口端部は、入口端部の下流にあり、出口端部は出口周囲長（９０）を有し、出口端部の上流の注ぎチャンバの一部分は、出口端部の上流にスパウトエントランス（４７）を有するスパウト（４５）である、注ぎチャンバと、
注ぎチャンバ壁部と係合され、入口端部とスパウトとの間に配置されたダム（８０）であって、開放断面積は、ダムの直ぐ上流の位置と比較すると、ダムが配置されている場所で低減され、ダムは、スパウトエントランスを部分的に閉鎖する、ダムと、
出口端部から離間配置されたエントランス（１０５）と、エントランスからイグジット（１３０）へと延在する通気口壁部（１２０）と、を備える通気口（１００）であって、イグジットは注ぎチャンバと流体連通し、イグジットは、出口端部がダムから離れている距離よりも大きくダムから離れており、イグジットは、出口周囲長の約０．５倍超、ダムから離れており、イグジットはイグジット周囲長（１４０）を有し、出口周囲長（９０）は、イグジット周囲長の約２倍超、長い、通気口（１００）と、
注ぎチャンバと係合されるタイマー（１５０）であって、
供給元リザーバ（１７０）と、
内側空間（１９０）と外側表面（２００）とを有する収集リザーバ（１８０）であって、内側空間の少なくとも一部分が外側表面から視認可能である、収集リザーバ（１８０）と、
供給元リザーバと収集リザーバとを接続するタイミングオリフィス（２１０）と、
収集リザーバと、タイミングオリフィスから離れて配置された供給元リザーバとを接続する開口部（２２０）と、
供給元リザーバ及び収集リザーバの一方又は両方に収容された固定体積を有するタイミング液（２３０）であって、タイミング液、供給元リザーバ、及び収集リザーバは、注ぎチャンバと流体連通していない、タイミング液（２３０）と、を備える、タイマー（１５０）と、を備える、装置（１０）。
Ｂ．装置は、出口端部が入口端部の上方に位する第１の姿勢と、入口端部が出口端部の上方に位する第２の姿勢と、を有し、装置が第２の姿勢にあるとき、装置が第１の姿勢にあるときよりも多量のタイミング液が収集リザーバ内にあり、装置が第２の姿勢にあるとき、タイミング液が外側表面から視認可能である、パラグラフＡに記載の装置。
Ｃ．収集リザーバは、外側表面から視認可能な少なくとも１つの計量表示部（２４０）を備える、パラグラフＡ又はＢに記載の装置。
Ｄ．開放端部（２５０）を有する容器（７０）を更に備え、注ぎチャンバ、ダム、通気口、及びタイマーは、開放端部と係合されている、パラグラフＡ〜Ｃのいずれか１つに記載の装置。
Ｅ．出口クロージャ２６０が出口端部４０と係合され、出口クロージャは、任意選択により、ヒンジ付き出口クロージャである、パラグラフＡ〜Ｄのいずれか１つに記載の装置。
Ｆ．装置は、少なくとも部分的にスパウトを囲んで延在し、かつスパウトから離れて外向きに延在するフロア（２７０）と、チャネル壁部（２８０）であって、入口端部（３０）から離れる方向にフロアから延在して、スパウトとチャネル壁部との間にチャネル（２９０）を画定する、チャネル壁部（２８０）と、を更に備え、フロアは、エントランスに向かって、又は注ぎチャンバと流体連通する穴に向かって傾斜されている、パラグラフＡ〜Ｅのいずれか１つに記載の装置。
Ｇ．開放端部（２５０）を有する容器（７０）を更に備え、注ぎチャンバ、ダム、通気口、タイマー、及び出口クロージャは共に、容器クロージャの少なくとも一部を形成する、パラグラフＡ〜Ｆのいずれか１つに記載の装置。
Ｈ．イグジットは、出口端部がダムから離れている距離よりも約１．５倍超、ダムから離れている、パラグラフＡ〜Ｇのいずれか１つに記載の装置。
Ｉ．装置は、少なくとも部分的にスパウトを囲んで延在し、かつスパウトから離れて外向きに延在するフロア（２７０）と、チャネル壁部（２８０）であって、入口端部（３０）から離れる方向にフロアから延在して、スパウトとチャネル壁部との間にチャネル（２９０）を画定する、チャネル壁部（２８０）と、を更に備え、フロアは、注ぎチャンバと流体連通する穴に向かって傾斜され、通気口は穴から離間している、パラグラフＡ〜Ｈのいずれか１つに記載の装置。
Ｊ．タイマーは容器（７０）上に装着されている、パラグラフＡ〜Ｃ、Ｅ、Ｆ、Ｈ、及びＩのいずれか１つに記載の装置。
Ｋ．装置は、出口端部が入口端部の上方に位する第１の姿勢と、入口端部が出口端部の上方に位する第２の姿勢と、を有し、装置が第１の姿勢にあるとき、タイミングオリフィスは開口部の上方に位し、装置が第２の姿勢にあるとき、タイミングオリフィスは開口部の下方に位し、装置が第１の姿勢から第２の姿勢に移行されるとき、タイミング液は、タイミングオリフィスを通って供給元リザーバから収集リザーバへと移動する、パラグラフＡ〜Ｊのいずれか１つに記載の装置。
Ｌ．出口周囲長とイグジット周囲長との比が、約２：１〜約２０：１、好ましくは約２：１〜約１５：１、より好ましくは約２：１〜約１０：１である、パラグラフＡ〜Ｋのいずれか１つに記載の装置。
Ｍ．ダムはスパウトエントランスに設置される、パラグラフＡ〜Ｌのいずれか１つに記載の装置。
Ｎ．パラグラフＡ〜Ｍのいずれか１つに記載の装置を用いて液体製品を分配するためのプロセスであって、液体製品が出口端を通って分配されるとき、タイミング液は収集リザーバ内に貯留する、プロセス。
【００５４】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００５５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
0006828182.tif 000002
【図２】
0006828182.tif 000003
【図３】
0006828182.tif 000004
【図４】
0006828182.tif 000005
【図５】
0006828182.tif 000006
【図６】
0006828182.tif 000007
【図７】
0006828182.tif 000008
【図８】
0006828182.tif 000009
【図９】
0006828182.tif 000010
【図１０】
0006828182.tif 000011
【図１１】
0006828182.tif 000012
【図１２】
0006828182.tif 000013
【図１３】
0006828182.tif 000014
【図１４】
0006828182.tif 000015
【図１５】
0006828182.tif 000016